(57)【要約】      （修正有）【課題】リンスがリンスタンク内に手順の定めなく自由に補給できる食器洗浄機を提供する。【解決手段】食器洗浄機１は、上部が開口した引き出し式の洗浄槽２と、リンスを貯蔵するリンスタンクと、リンスタンクにリンスを補給するリンス補給口７と、を備え、リンス補給口７を洗浄槽２の外側に配置することにより、使用者が洗浄槽２内に食器を並べ終わってからリンスをリンスタンクに補給できるので、リンスをリンスタンク内に手順の定めなく自由に補給できる。【選択図】図７
2019170793.tif 000002
【特許請求の範囲】
【請求項１】
上部が開口した引き出し式の洗浄槽と、
リンスを貯蔵するリンスタンクと、
前記リンスタンクにリンスを補給するリンス補給口と、
を備え、
前記リンス補給口は、前記洗浄槽の外側に配置される食器洗浄機。
【請求項２】
前記リンス補給口は、前記洗浄槽を引き出した状態で前記洗浄槽の外側縁部の上面部に配置される請求項１に記載の食器洗浄機。
【請求項３】
前記洗浄槽の引き出し手前側に前側意匠面部を有し、
前記リンス補給口は、前記洗浄槽と前記前側意匠面部との間の前記上面部に配置される請求項２に記載の食器洗浄機。
【請求項４】
前記リンス補給口には、開口部を塞ぐ蓋部が設けられる請求項１〜３のいずれか１項に記載の食器洗浄機。
【請求項５】
前記リンスタンクの排出口と前記洗浄槽とを繋ぐリンス搬送経路を有する請求項１〜４のいずれか１項に記載の食器洗浄機。
【請求項６】
前記リンスタンクと前記洗浄槽とを繋ぐオーバーフロー管を有する請求項１〜５のいずれか１項に記載の食器洗浄機。
【請求項７】
前記オーバーフロー管における前記リンスタンクとの第１接続部は、前記リンスタンクの満量検知液面より高い位置、かつ、前記リンスタンクの上面より低い位置に配置され、
前記オーバーフロー管における前記洗浄槽との第２接続部は、前記第１接続部よりも低い位置に配置される請求項６に記載の食器洗浄機。
【請求項８】
前記リンス補給口の中央部と前記リンスタンクとを繋ぐ第１リンス補給管と、
前記リンス補給口の前記中央部の周囲と前記リンスタンクとを繋ぐ第２リンス補給管と、
を有する請求項１〜７のいずれか１項に記載の食器洗浄機。
【請求項９】
前記リンスタンク内のリンス残量を表示する表示部を備え、
前記表示部は、前記洗浄槽の外側に配置される請求項１〜８のいずれか１項に記載の食器洗浄機。
【請求項１０】
前記表示部は、前記リンス補給口に隣接して配置される請求項９に記載の食器洗浄機。
【発明の詳細な説明】
【技術分野】
【０００１】
本発明は、乾燥仕上げ剤としてのリンスを自動投入する食器洗浄機に関する。
【背景技術】
【０００２】
従来、特許文献１に開示されたリンスを自動投入する食器洗浄機が知られている。特許文献１の食器洗浄機は、リンスタンクと、リンス投入口と、リンス投入弁と、制御部と、検出手段と、表示器と、を備える。リンスタンクは、複数回の洗浄分のリンスを貯留可能である。リンス投入口は、リンスタンクから洗浄槽内にリンスを投入する。リンス投入弁は、リンス投入口を開閉する、制御部は、リンス投入弁の開閉を制御する。検出手段は、リンスタンク内のリンス残量を検出する。表示器は、検出手段が検出するリンス残量が所定量以下となったことを表示する。
【０００３】
また、特許文献１の食器洗浄機は、使用者がリンスを補給するリンス補給口と、表示器と、を洗浄槽内に設けていた。
【先行技術文献】
【特許文献】
【０００４】
【特許文献１】特許第４１３３７８０号公報
【発明の概要】
【発明が解決しようとする課題】
【０００５】
特許文献１の食器洗浄機では、使用者が洗浄槽内に食器を並べると、リンス補給口が並べられた食器によって隠れてしまう。このため、使用者が洗浄槽内に食器を並べ終わってからリンスがリンスタンク内に補給できなく、手順に自由度が無い課題があった。
【０００６】
本発明は、上記課題を解決するためのものであり、リンスがリンスタンク内に手順の定めなく自由に補給できる食器洗浄機を得ることを目的とする。
【課題を解決するための手段】
【０００７】
本発明の食器洗浄機は、上部が開口した引き出し式の洗浄槽と、リンスを貯蔵するリンスタンクと、前記リンスタンクにリンスを補給するリンス補給口と、を備え、前記リンス補給口は、前記洗浄槽の外側に配置されるものである。
【発明の効果】
【０００８】
本発明に係る食器洗浄機によれば、リンス補給口は、洗浄槽の外側に配置されている。したがって、リンスがリンスタンク内に手順の定めなく自由に補給できる。
【図面の簡単な説明】
【０００９】
【図１】本発明の実施の形態１に係る食器洗浄機付きシステムキッチンを示す外観斜視図である。
【図２】本発明の実施の形態１に係る食器洗浄機の洗浄槽を引き出した状態のシステムキッチンを示す外観斜視図である。
【図３】本発明の実施の形態１に係る食器洗浄機を示す斜視図である。
【図４】本発明の実施の形態１に係る洗浄槽を引き出した状態の食器洗浄機を示す斜視図である。
【図５】本発明の実施の形態１に係る食器洗浄機の内部構成を示す上面図である。
【図６】本発明の実施の形態１に係る食器洗浄機の内部構成を示す縦断面図である。
【図７】本発明の実施の形態１に係る食器洗浄機を示す上面図である。
【図８】本発明の実施の形態１に係る食器洗浄機における洗浄槽の引き出し手前の上面部を拡大して示す上面図である。
【図９】本発明の実施の形態１に係る食器洗浄機における蓋部を被せた状態のリンス補給口を示す斜視図である。
【図１０】本発明の実施の形態１に係る食器洗浄機における蓋部を外した状態のリンス補給口を示す斜視図である。
【図１１】本発明の実施の形態１に係る食器洗浄機におけるリンス補給口を示す縦断面図である。
【図１２】本発明の実施の形態１に係る食器洗浄機における前側意匠面部を外した状態の洗浄槽の外側構造を示す斜視図である。
【図１３】本発明の実施の形態１に係る食器洗浄機における前側意匠面部と洗浄槽との間の洗浄槽の外側構造を示す縦断面図である。
【図１４】本発明の実施の形態１に係る食器洗浄機におけるリンスタンクを示す斜視図である。
【図１５】本発明の実施の形態１に係る食器洗浄機におけるリンスタンクの内部構造を示す縦断面図である。
【図１６】本発明の実施の形態１に係る食器洗浄機におけるリンス残量が空になった状態のリンスタンクの内部構造を示す縦断面図である。
【図１７】本発明の実施の形態１に係る食器洗浄機におけるリンスタンクとリンス搬送経路と洗浄槽との相関関係を示す縦断面図である。
【発明を実施するための形態】
【００１０】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１１】
実施の形態１．
＜システムキッチン１００の全体構成＞
図１は、本発明の実施の形態１に係る食器洗浄機１付きシステムキッチン１００を示す外観斜視図である。図２は、本発明の実施の形態１に係る食器洗浄機１の洗浄槽２を引き出した状態のシステムキッチン１００を示す外観斜視図である。
【００１２】
図１、図２に示すように、システムキッチン１００は、食器洗浄機１と、加熱調理器１０１と、シンク１０２と、を備える。食器洗浄機１と、加熱調理器１０１と、シンク１０２と、は一体化したユニットに形成されている。また、システムキッチン１００は、キッチンの小物を収納する引き出し１０３と、鍋又はフライパンなどを収納する収納庫１０４と、を備える。
【００１３】
食器洗浄機１は、食後の汚れた食器を洗浄する。食器洗浄機１の上方の平面部１０５は、まな板などを載置する載置部に形成されている。
【００１４】
加熱調理器１０１は、食器洗浄機１の使用者から見て左側に配置されている。加熱調理器１０１は、載置面にて電磁誘導コイルによって鍋又はフライパンなどを加熱する。加熱調理器１０１は、内部に魚などを焼くグリルを内蔵している。
【００１５】
シンク１０２は、食器洗浄機１の使用者から見て右側に配置されている。シンク１０２は、キッチン水栓１０２ａの蛇口から水を流す水槽状のユニットである。
【００１６】
図２に示すように、食器洗浄機１は、上部が開口した引き出し式の洗浄槽２を備える。洗浄槽２には、上部の開口から洗浄槽２内に食後の汚れた食器が並べられ、洗浄される。
【００１７】
＜食器洗浄機１の外観構成＞
図３は、本発明の実施の形態１に係る食器洗浄機１を示す斜視図である。図４は、本発明の実施の形態１に係る洗浄槽２を引き出した状態の食器洗浄機１を示す斜視図である。
【００１８】
図３、図４に示すように、食器洗浄機１は、直方体形状の本体３で区画されたユニットである。食器洗浄機１は、本体３からシステムキッチン１００の使用者の手前側に洗浄槽２を引き出し自在である。引き出し式の洗浄槽２は、上部が開口している。
【００１９】
図４に示すように、洗浄槽２の４つの外側面２ａには、側壁面部４が取り付けられている。システムキッチン１００の使用者の引き出し手前側の側壁面部４は、前側意匠面部４ａに形成されている。前側意匠面部４ａは、システムキッチン１００の他のユニットの前側意匠面部と調和のとれた意匠が施されている。
【００２０】
＜食器洗浄機１の内部構成＞
図５は、本発明の実施の形態１に係る食器洗浄機１の内部構成を示す上面図である。図６は、本発明の実施の形態１に係る食器洗浄機１の内部構成を示す縦断面図である。
【００２１】
食器洗浄機１は、洗浄槽２内に、洗浄ノズル５と、図示しないヒータと、を備える。洗浄ノズル５は、洗浄槽２内の下部に配置され、洗浄水を噴出する。ヒータは、洗浄水を加熱する。
【００２２】
また、食器洗浄機１は、洗浄槽２内の下部に、図示しない洗浄ポンプと、図示しない排水ポンプと、を備える。洗浄ポンプは、洗浄ノズル５に洗浄水を圧送する。排水ポンプは、汚れた洗浄水を排出する。
【００２３】
図５に示すように、洗浄槽２の縁部における洗浄槽２と前側意匠面部４ａとの間の上面部６には、リンス補給口７と、表示部８と、操作部９と、が設けられている。これらの詳細は、後述する。
【００２４】
＜食器洗浄機１の動作＞
汚れた食器を洗浄する場合には、使用者が洗浄槽２を本体３から引き出す。そして、使用者は、洗浄槽２内に汚れた食器を並べる。食器が並べ終わると、使用者は、洗浄槽２内の洗浄水に洗剤を投入する。次に、使用者は、操作部９のスタートスイッチをＯＮする。次に、使用者は、洗浄槽２を本体３内に押し込む。そして、使用者は、洗浄槽２のスライドロックをかける。
【００２５】
これにより、給水弁が開弁され、洗浄槽２内に洗浄水が給水される。そして、水量センサが所定量の洗浄水Ｗの給水を検知すると、給水弁が閉弁される。次に、ヒータが通電され、洗浄水が所望の温度に加熱される。そして、洗浄ポンプが駆動され、温水化した洗浄水が洗浄ノズル５に圧送され、洗浄ノズル５のノズル孔５ａから洗浄水が噴射され、食器が洗浄される。このとき、洗浄ノズル５は、洗浄水の噴射による反力によって回転する。これにより、洗浄槽２内に並べられた食器に万遍なく洗浄水が噴射される。洗浄槽２内に噴射された洗浄水は、落下して洗浄槽２内の下部に集まり、再び洗浄ノズル５から噴射される。この循環が繰り返され、洗浄工程となっている。なお、洗浄工程では、洗浄槽２が本体３内に収納されているので、洗浄水が洗浄槽２外に飛散することはない。
【００２６】
所定時間経過すると、ヒータ及び洗浄ポンプへの通電が停止する。また、排水ポンプが駆動され、洗浄槽２内の汚水が外部に排出される。
【００２７】
次に、排水が終わると、排水ポンプへの通電を停止し、給水弁が開弁され、新たな洗浄水が洗浄槽２内に給水される。以後、上述した洗浄工程と同様の動作によって食器のすすぎ洗いが行われ、所定時間のすすぎ洗いが終わると、すすぎ洗いに用いた洗浄水が排水される。このようなすすぎ洗いと排水とが数回繰り返される。この繰り返しがすすぎ工程となっている。このとき、後述するリンスタンク１０からリンスが供給されてすすぎ洗い用の洗浄水に加えられ、食器が乾燥仕上げに適した状態になる。
【００２８】
すすぎ工程が終了すると、送風機及びヒータが通電され、洗浄槽２内に外気が導入される。外気は、ヒータで加熱されて温風となり、洗浄槽２内に送られて食器及び洗浄槽２の内部全体を乾燥させる。乾燥に用いた温風は、排気口１１から外部に排出される。この工程が乾燥工程となる。
【００２９】
乾燥工程が所定時間経過すると、送風機及びヒータへの通電が停止され、乾燥工程が終了する。これにより、食器の洗浄、すすぎ及び乾燥が完了する。なお、これら一連の動作は、制御部のマイクロコンピュータに設定されたプログラムに従って自動的に行われる。
【００３０】
食器を取り出す場合には、使用者は、洗浄槽２のスライドロックを解除し、洗浄槽２を本体３から手前に引き出し、食器を取り出す。
【００３１】
＜洗浄槽２の縁部の詳細＞
図７は、本発明の実施の形態１に係る食器洗浄機１を示す上面図である。図８は、本発明の実施の形態１に係る食器洗浄機１における洗浄槽２の引き出し手前の上面部６を拡大して示す上面図である。
【００３２】
図７に示すように、食器洗浄機１は、洗浄槽２を引き出した状態において、洗浄槽２の４方の外側縁部１２を有する。外側縁部１２は、各側壁面部４と各側壁面部４に対向する洗浄槽２の４つの外側面２ａのそれぞれとの間に形成されている。
【００３３】
側壁面部４の１つである洗浄槽２の引き出し手前側の前側意匠面部４ａと洗浄槽２の外側面２ａとの間には、上面部６が形成されている。上面部６には、リンス補給口７と、表示部８と、操作部９と、が配置されている。
【００３４】
図７、図８に示すように、リンス補給口７は、乾燥仕上げ剤としてのリンスをリンスタンク１０に補給する開口部である。リンス補給口７には、蓋部１３が被せられている。表示部８は、リンス補給口７に隣接して配置されている。そのため、表示部８は、洗浄槽２の外側に配置されている。表示部８は、リンスタンク１０内のリンス残量を表示する。表示部８は、食器洗浄機１の運転状態を表示する。操作部９は、食器洗浄機１の運転をＯＮにするスタートスイッチと、その他の運転制御スイッチと、を有する。
【００３５】
＜リンス補給口７の構成＞
図９は、本発明の実施の形態１に係る食器洗浄機１における蓋部１３を被せた状態のリンス補給口７を示す斜視図である。図１０は、本発明の実施の形態１に係る食器洗浄機１における蓋部１３を外した状態のリンス補給口７を示す斜視図である。図１１は、本発明の実施の形態１に係る食器洗浄機１におけるリンス補給口７を示す縦断面図である。
【００３６】
図９、図１０に示すように、リンスタンク１０にリンスを補給するリンス補給口７は、洗浄槽２を引き出した状態で洗浄槽２の外側縁部１２の上面部６の左側に配置されている。そのため、リンス補給口７は、洗浄槽２の外側に配置されている。なお、リンス補給口７は、洗浄槽２を引き出した状態で洗浄槽２の外側縁部１２の上面部６の右側に配置してもよい。
【００３７】
このように、引き出し式の食器洗浄機１において、リンス補給口７が洗浄槽２の外側に設けられることにより、加熱された洗浄水及びすすぎ水がリンス補給口７に直接的に触れることが防止される。また、リンス補給口７が上面部６に配置されているので、引き出し式の食器洗浄機１の洗浄槽２を引き出した時に、使用者がリンス補給口７の位置を把握し易く、補給作業が容易である。
【００３８】
リンス補給口７には、開口部を塞ぐ蓋部１３が設けられている。蓋部１３は、平板状の単純な構成である。リンス補給口７には、洗浄水がかからない。そのため、リンス補給口７にシール性能を重視した蓋部１３は必要ない。しかし、リンス補給口７への異物の混入などが防止されるように、リンス補給口７には、簡易的な蓋部１３が装着される。なお、リンス補給口７に対しての固形物のみの除去さえできれば良いのであれば、蓋部１３の代わりにフィルタなどを代替しても良い。
【００３９】
図１１に示すように、リンス補給口７は、真ん中に開口した中央部７ａと、中央部７ａの周囲に中央部７ａと仕切り部７ｂを隔てて開口した周囲部７ｃと、を有する。中央部７ａは、メインのリンスの補給口である。周囲部７ｃは、補助的及び空気抜きのためのリンスの補給口である。周囲部７ｃは、中央部７ａの左右両側に２つ設けられている。
【００４０】
リンス補給口７の中央部７ａとリンスタンク１０とは、第１リンス補給管１４によって繋がっている。リンス補給口７の中央部７ａに対して隣の周囲部７ｃとリンスタンク１０とは、第２リンス補給管１５によって繋がっている。第１リンス補給管１４と第２リンス補給管１５とは、合流せず、個別の経路である。
【００４１】
第２リンス補給管１５は、第１リンス補給管１４によってリンスが補給されている通常時に、補給された容積分のリンスタンク１０内の空気をリンスタンク１０外に押し出して内圧の上昇を抑制する空気抜きとして機能する。これにより、使用者は、リンス補給口７からリンスをスムーズに補給できる。また、使用者が周囲部７ｃに誤ってリンスをこぼしても、周囲部７ｃにこぼれたリンスが第２リンス補給管１５を通過してリンスタンク１０に回収される。このとき、第１リンス補給管１４が補給された容積分のリンスタンク１０内の空気をリンスタンク１０外に押し出して内圧の上昇を抑制する空気抜きとして機能し、使用者が常に空気抜きしながらリンスを補給できる。
【００４２】
＜前側意匠面部４ａと洗浄槽２との間の洗浄槽２の外側構造＞
図１２は、本発明の実施の形態１に係る食器洗浄機１における前側意匠面部４ａを外した状態の洗浄槽２の外側構造を示す斜視図である。図１３は、本発明の実施の形態１に係る食器洗浄機１における前側意匠面部４ａと洗浄槽２との間の洗浄槽２の外側構造を示す縦断面図である。
【００４３】
図１２、図１３に示すように、洗浄槽２の引き出し手前側には、洗浄槽２の外側面２ａと空間を隔てて前側意匠面部４ａが設けられている。前側意匠面部４ａは、取り外し自在である。洗浄槽２と前側意匠面部４ａとの間には、リンスを貯蔵するリンスタンク１０が設けられている。なお、リンスタンク１０は、洗浄槽２と前側意匠面部４ａ以外の側壁面部４との間に設けられても良い。また、洗浄槽２と前側意匠面部４ａとの間には、排気口１１が形成されている。
【００４４】
リンスタンク１０が洗浄槽２の外側かつ洗浄槽２の前側に配置されている。これにより、メンテナンス時に作業者が前側意匠面部４ａを取り外すと、作業者がリンスタンク１０及びリンスタンク１０の周辺部品から構成されるリンスユニット１６に簡単にアクセスでき、メンテナンス作業が前面側から容易にできる。
【００４５】
図１３に示すように、リンスタンク１０と洗浄槽２の外側面２ａとの間には、隙間１７が形成されている。洗浄槽２とリンスタンク１０との間に隙間１７が存在するので、洗浄槽２内の洗浄水による熱を空気断熱層としての隙間１７によって遮断し、リンスタンク１０への熱影響が低減される。これにより、リンスタンク１０内のリンスが熱を受けて成分分離することが抑制される。
【００４６】
＜リンスタンク１０及びリンスタンク１０周囲の構成＞
図１４は、本発明の実施の形態１に係る食器洗浄機１におけるリンスタンク１０を示す斜視図である。リンスタンク１０は、直方体状の密閉容器である。リンスタンク１０の左右の両側面には、リンスタンク１０を洗浄槽２の外側面２ａに対して隙間１７を隔ててボルトによって固定する１対の固定片１０ａが設けられている。リンスタンク１０の下部には、リンス排出口１８が形成されている。リンスタンク１０の上面には、リンスタンク１０のリンスを洗浄槽２に圧送する自吸式ポンプ１９が載せられている。リンスタンク１０のリンス排出口１８と自吸式ポンプ１９の入口とは、第１リンス搬送管２０によって繋がれている。自吸式ポンプ１９の出口と洗浄槽２とは、第２リンス搬送管２１によって繋がれている。リンスタンク１０と自吸式ポンプ１９と第１リンス搬送管２０と第２リンス搬送管２１とは、リンスユニット１６を構成している。
【００４７】
＜リンスタンク１０の詳細＞
図１５は、本発明の実施の形態１に係る食器洗浄機１におけるリンスタンク１０の内部構造を示す縦断面図である。図１６は、本発明の実施の形態１に係る食器洗浄機１におけるリンス残量が空になった状態のリンスタンク１０の内部構造を示す縦断面図である。
【００４８】
図１５、図１６に示すように、リンスタンク１０内の底面２２は、リンスタンク１０のリンス排出口１８を最下部とした傾斜面に形成されている。リンスタンク１０のリンス排出口１８とリンスタンク１０内の底面２２との間には、リンスタンク１０のリンス排出口１８がリンスタンク１０内の底面２２より低くなる段差部２３が形成されている。これにより、リンスタンク１０の底面２２には、段差部２３にリンスを集める傾斜面が形成されるとともに、段差部２３の下側にリンス排出口１８が形成されているので、リンスタンク１０内にリンスが残り難い。
【００４９】
リンスタンク１０は、リンスタンク１０内に、リンスタンク１０のリンス排出口１８の上方にて上下方向に移動してリンス残量を検知するフロート磁石検知部２４を有する。フロート磁石検知部２４は、円環状であり、リンスに対して浮力を有する。フロート磁石検知部２４は、中心孔をガイド軸２５に挿通され、リンスタンク１０内のリンスの液量に応じて浮く。
【００５０】
図１６に示すように、フロート磁石検知部２４は、段差部２３内のリンスタンク１０のリンス排出口１８の上面まで入出自在に設けられている。フロート磁石検知部２４の寸法は、段差部２３内のリンス排出口１８の大きさ寸法より小さい。これにより、フロート磁石検知部２４は、リンスタンク１０のリンスが底面２２よりも低い位置に存在するリンス排出口１８に至った空になる状態を検知できる。つまり、段差部２３に入り込んで下がったフロート磁石検知部２４がリンス残量を空として検知するときには、リンスが段差部２３の内側のみの残量であり、リンスタンク１０の底面２２にリンスが残らない。なお、リンスタンク１０内が空であること検知した後の自吸式ポンプ１９の排出運転は、リンス排出口１８から第１リンス搬送管２０内にかけてリンスが残らない駆動時間が設けられている。
【００５１】
＜リンスユニット１６の詳細＞
図１７は、本発明の実施の形態１に係る食器洗浄機１におけるリンスタンク１０とリンス搬送経路と洗浄槽２との相関関係を示す縦断面図である。図１７に示すように、食器洗浄機１は、リンスユニット１６を用いてリンスタンク１０のリンス排出口１８と洗浄槽２とを繋ぐリンス搬送経路を有する。リンス搬送経路は、自吸式ポンプ１９の駆動によって通常リンスに満たされ、順次洗浄槽２内に送出される。
【００５２】
リンスユニット１６は、リンスタンク１０と、自吸式ポンプ１９と、第１リンス搬送管２０と、第２リンス搬送管２１と、を有する。自吸式ポンプ１９は、リンスタンク１０内のリンス液面の最高値よりも高い位置に配置されている。実施の形態１では、自吸式ポンプ１９は、リンスタンク１０の上面に載せられている。第２リンス搬送管２１の洗浄槽２への出口２６は、自吸式ポンプ１９の高さ以下に配置されている。自吸式ポンプ１９は、洗浄槽２内に溜まる洗浄水Ｗの水面の最高値よりも高い位置に配置されている。
【００５３】
リンスは、リンス排出口１８から自吸式ポンプ１９の駆動によって吸い出され、自吸式ポンプ１９を介して洗浄槽２内へリンスが送出される。また、自吸式ポンプ１９は、リンスタンク１０内のリンス液面の最高値よりも高い位置に配置されている。これにより、リンスが自身の液圧によって自吸式ポンプ１９から勝手に垂れ流れない。また。自吸式ポンプ１９が少なくとも洗浄槽２内の洗浄水Ｗの水面より高い位置に配置されているので、リンスが洗浄槽２内の洗浄水Ｗの水圧によっての逆流を抑制できる。加えて、リンス搬送経路には、自吸式ポンプ１９が設けられているので、リンス搬送経路に空気が混ざってもリンスが送出できる。
【００５４】
図１２〜図１７に示すように、食器洗浄機１は、リンスタンク１０と洗浄槽２とを繋ぐオーバーフロー管２７を有する。オーバーフロー管２７におけるリンスタンク１０との第１接続部２８は、リンスタンク１０の満量検知液面より高い位置、かつ、リンスタンク１０の上面より低い位置に配置されている。オーバーフロー管２７における洗浄槽２との第２接続部２９は、第１接続部２８よりも低い位置に配置されている。なお、オーバーフロー管２７の第２接続部２９は、洗浄槽２に直接接続される構成の他に、洗浄槽２の乾燥時の排気口１１に接続される構成でも良い。
【００５５】
オーバーフロー管２７は、リンスタンク１０に満量を超えてリンスが補給された場合にリンスがリンス補給口７からあふれることを防止する。オーバーフロー管２７によってリンスタンク１０に満量を超えて補給されたリンスは、洗浄槽２内に排出される。また、オーバーフロー管２７は、通常のリンス補給時に、補給された容積分のリンスタンク１０内の空気をリンスタンク１０外に押し出して内圧の上昇を抑制する空気抜きとして機能し、リンスがリンスタンク１０にスムーズに補給される。オーバーフロー管２７の第２接続部２９は、リンスタンク１０側の第１接続部２８よりも低い位置に配置され、オーバーフロー管２７内でのリンスの逆流が抑制される。
【００５６】
＜実施の形態１の効果＞
実施の形態１によれば、食器洗浄機１は、上部が開口した引き出し式の洗浄槽２を備える。食器洗浄機１は、リンスを貯蔵するリンスタンク１０を備える。食器洗浄機１は、リンスタンク１０にリンスを補給するリンス補給口７を備える。リンス補給口７は、洗浄槽２の外側に配置されている。
【００５７】
この構成によれば、リンス補給口７が洗浄槽２の外側に配置されるため、使用者が洗浄槽２内に食器を並べても、リンス補給口７が並べられた食器によって隠れない。このため、使用者が洗浄槽２内に食器を並べ終わってからでも、リンスがリンスタンク１０内に補給でき、手順の自由度が高い。したがって、リンスがリンスタンク１０内に手順の定めなく自由に補給できる。また、リンス補給口７に洗浄槽２の洗浄水がかからず、シール性能などのコストが抑制できる。
【００５８】
実施の形態１によれば、リンス補給口７は、洗浄槽２を引き出した状態で洗浄槽２の外側縁部１２の上面部６に配置されている。
【００５９】
この構成によれば、リンス補給口７が使用者から見え易く、使用者がリンス補給口７を分かり易く、リンスの補給作業が容易である。そのため、食器洗浄機１は、使い勝手が良い。また、リンス補給口７に洗浄槽２の洗浄水がかからず、シール性能などのコストが抑制できる。
【００６０】
実施の形態１によれば、食器洗浄機１は、洗浄槽２の引き出し手前側に前側意匠面部４ａを有する。リンス補給口７は、洗浄槽２と前側意匠面部４ａとの間の上面部６に配置されている。
【００６１】
この構成によれば、リンス補給口７が使用者から見え易く、使用者がリンス補給口７を分かり易く、リンスの補給作業が容易である。そのため、食器洗浄機１は、使い勝手が良い。また、リンス補給口７に洗浄槽２の洗浄水がかからず、シール性能などのコストが抑制できる。
【００６２】
実施の形態１によれば、リンス補給口７には、開口部を塞ぐ蓋部１３が設けられている。
【００６３】
この構成によれば、リンス補給口７に異物が入らず、リンスの性能劣化などの悪影響が防止できる。
【００６４】
実施の形態１によれば、食器洗浄機１は、リンスタンク１０のリンス排出口１８と洗浄槽２とを繋ぐリンスユニット１６を用いたリンス搬送経路を有する。
【００６５】
この構成によれば、リンスタンク１０のリンスが洗浄槽２に搬送できる。
【００６６】
実施の形態１によれば、食器洗浄機１は、リンスタンク１０と洗浄槽２とを繋ぐオーバーフロー管２７を有する。
【００６７】
この構成によれば、使用者が誤ってリンスタンク１０に満量以上のリンスを補給し続けても、リンス補給口７からリンスがあふれ出ない。このため、リンス補給口７があふれたリンスで汚れない。また、リンス補給口７からリンスが補給されている際には、オーバーフロー管２７が空気抜きの機能を果たす。
【００６８】
実施の形態１によれば、オーバーフロー管２７におけるリンスタンク１０との第１接続部２８は、リンスタンク１０の満量検知液面より高い位置、かつ、リンスタンク１０の上面より低い位置に配置されている。オーバーフロー管２７における洗浄槽２との第２接続部２９は、第１接続部２８よりも低い位置に配置されている。
【００６９】
この構成によれば、リンスタンク１０に満量以上のリンスが補給されると、オーバーフロー管２７からリンスが洗浄槽２に流れ出る。また、オーバーフロー管２７内でリンスの逆流が防止できる。
【００７０】
実施の形態１によれば、食器洗浄機１は、リンス補給口７の中央部７ａとリンスタンク１０とを繋ぐ第１リンス補給管１４を有する。食器洗浄機１は、リンス補給口７の中央部７ａの周囲部７ｃとリンスタンク１０とを繋ぐ第２リンス補給管１５を有する。
【００７１】
この構成によれば、第１リンス補給管１４と第２リンス補給管１５とのどちらか一方からリンスが補給されると、他方からリンスタンク１０の空気が抜ける。このため、空気抜きによってスムーズにリンスが補給できる。また、使用者がリンス補給口７の中央部７ａの主補給口から周囲に対して補給するリンスをこぼしても、こぼれたリンスが第２リンス補給管１５からリンスタンク１０に回収できる。このため、リンス補給口７がこぼれたリンスで汚れない。
【００７２】
実施の形態１によれば、食器洗浄機１は、リンスタンク１０内のリンス残量を表示する表示部８を備える。表示部８は、洗浄槽２の外側に配置されている。
【００７３】
この構成によれば、表示部８が使用者から見え易く、使用者が表示部８によってリンス補給量を分かり易く、リンスの補給作業が容易である。そのため、食器洗浄機１は、使い勝手が良い。
【００７４】
実施の形態１によれば、表示部８は、リンス補給口７に隣接して配置されている。
【００７５】
この構成によれば、表示部８がリンス補給中の使用者から見え易く、使用者が表示部８によってリンス補給量を分かり易く、リンスの補給作業が容易である。そのため、食器洗浄機１は、使い勝手が良い。
【００７６】
＜その他＞
本発明は、リンスを用途として説明した。しかし、本発明は、貯蔵用タンクを用いるものであれば、液体洗剤などでも適用できる。
【符号の説明】
【００７７】
１  食器洗浄機、２  洗浄槽、２ａ  外側面、３  本体、４  側壁面部、４ａ  前側意匠面部、５  洗浄ノズル、５ａ  ノズル孔、６  上面部、７  リンス補給口、７ａ  中央部、７ｂ  仕切り部、７ｃ  周囲部、８  表示部、９  操作部、１０  リンスタンク、１０ａ  固定片、１１  排気口、１２  外側縁部、１３  蓋部、１４  第１リンス補給管、１５  第２リンス補給管、１６  リンスユニット、１７  隙間、１８  リンス排出口、１９  自吸式ポンプ、２０  第１リンス搬送管、２１  第２リンス搬送管、２２  底面、２３  段差部、２４  フロート磁石検知部、２５  ガイド軸、２６  出口、２７  オーバーフロー管、２８  第１接続部、２９  第２接続部、１００  システムキッチン、１０１  加熱調理器、１０２  シンク、１０２ａ  キッチン水栓、１０３  引き出し、１０４  収納庫、１０５  平面部。
【図１】
2019170793.tif 000003
【図２】
2019170793.tif 000004
【図３】
2019170793.tif 000005
【図４】
2019170793.tif 000006
【図５】
2019170793.tif 000007
【図６】
2019170793.tif 000008
【図７】
2019170793.tif 000009
【図８】
2019170793.tif 000010
【図９】
2019170793.tif 000011
【図１０】
2019170793.tif 000012
【図１１】
2019170793.tif 000013
【図１２】
2019170793.tif 000014
【図１３】
2019170793.tif 000015
【図１４】
2019170793.tif 000016
【図１５】
2019170793.tif 000017
【図１６】
2019170793.tif 000018
【図１７】
2019170793.tif 000019